(57)【要約】  【課題】天板上に配線を導く自由度に優れた天板付家具を提供する。  【解決手段】天板付家具を、天板受けを脚により支持した家具本体と、この家具本体の前記天板受け上に配設された天板とを備えてなり、前記家具本体は、前記脚に設けられた配線挿通路の上端を前記天板受け上に開放させたものであり、前記天板受けと前記天板との間に、前記配線挿通路を通して前記天板受け上に導出された配線を前記天板の配線取出部に導くための配線案内空間が形成されているものとした。このようなものであれば、天板上に配線を導く自由度に優れた天板付家具を提供することができる。【選択図】図１
2018042869.tif 000002
【特許請求の範囲】
【請求項１】
天板受けを脚により支持した家具本体と、この家具本体の前記天板受け上に配設された天板とを備えてなり、
前記家具本体は、前記脚に設けられた配線挿通路の上端を前記天板受け上に開放させたものであり、
前記天板受けと前記天板との間に、前記配線挿通路を通して前記天板受け上に導出された配線を前記天板の配線取出部に導くための配線案内空間が形成されている天板付家具。
【請求項２】
前記家具本体が、平面視矩形状をなす天板受けと、この天板受けの対角位置を支持する一対の脚とを備えたものであり、
前記配線挿通空間が、少なくとも前記対角位置を含む前記天板受けの隣接する二辺に沿って形成されたものである請求項１記載の天板付家具。
【請求項３】
前記配線案内空間が、前記天板受けの全周縁に沿って形成されている請求項２記載の天板付家具。
【請求項４】
前記天板受けが、前記配線案内空間に配される配線を位置決めするための前記配線の一部が挿入され得る凹部を備えたものである請求項１、２又は３記載の天板付家具。
【請求項５】
前記天板が、下面に前記配線案内空間を形成するための凹陥部を備えたものであり、
前記凹陥部が、前記配線取出部に連通している請求項１、２、３又は４記載の天板付家具。
【請求項６】
前記配線案内空間が、外部に開放されたものである請求項１、２、３、４又は５記載の天板付家具。
【請求項７】
前記天板受けの下に、引き出しを配したものであり、
前記引き出しが、異なった複数の引き出し方向の何れかを選択的に採り得るようにして前記天板受けに着脱可能に取り付けられたものである請求項１、２、３、４、５又は６記載の天板付家具。
【請求項８】
脚を有した家具本体と、この家具本体の上に配設された天板とを備えてなり、
前記家具本体は、前記脚に設けられた配線挿通路の上端を前記天板側に開放させたものであり、
前記天板が、その上面よりも下の位置に、前記配線挿通路内に配される配線の延出部分を前記天板の上面側に導くための配線案内空間を備えている天板付家具。
【発明の詳細な説明】
【技術分野】
【０００１】
本発明は、主として天板上に電気製品を載置した状態で使用される天板付家具に関する。
【背景技術】
【０００２】
従来から、天板を支持する脚に、電気製品等に用いられる配線を挿通させるための配線挿通路が設けられてなる天板付家具が種々知られている（例えば、特許文献１を参照）。
【０００３】
この種のものは、脚の配線挿通路内に収容された配線が、当該脚の配線挿通路の上端部からそのまま天板の上面側に連通するように構成されていた。すなわち、配線は、脚の上端部からその直上にある天板部分の上面側に導出することしかできないものとなっていた。このため、従来の天板付家具では、天板上に配線を導く態様が限られたものとなっていた。
【先行技術文献】
【特許文献】
【０００４】
【特許文献１】特開２００２−１７４５６号公報
【発明の概要】
【発明が解決しようとする課題】
【０００５】
本発明は、以上のような事情に着目してなされたもので、天板上に配線を導く自由度に優れた天板付家具を提供することにある。
【課題を解決するための手段】
【０００６】
すなわち、本発明は次の構成をなしている。
【０００７】
請求項１に記載の発明は、天板受けを脚により支持した家具本体と、この家具本体の前記天板受け上に配設された天板とを備えてなり、前記家具本体は、前記脚に設けられた配線挿通路の上端を前記天板受け上に開放させたものであり、前記天板受けと前記天板との間に、前記配線挿通路を通して前記天板受け上に導出された配線を前記天板の配線取出部に導くための配線案内空間が形成されている天板付家具である。
【０００８】
請求項２に記載の発明は、前記家具本体が、平面視矩形状をなす天板受けと、この天板受けの対角位置を支持する一対の脚とを備えたものであり、前記配線挿通空間が、少なくとも前記対角位置を含む前記天板受けの隣接する二辺に沿って形成されたものである請求項１記載の天板付家具である。
【０００９】
請求項３に記載の発明は、前記配線案内空間が、前記天板受けの全周縁に沿って形成されている請求項２記載の天板付家具である。
【００１０】
請求項４に記載の発明は、前記天板受けが、前記配線案内空間に配される配線を位置決めするための前記配線の一部が挿入され得る凹部を備えたものである請求項１、２又は３記載の天板付家具である。
【００１１】
請求項５に記載の発明は、前記天板が、下面に前記配線案内空間を形成するための凹陥部を備えたものであり、前記凹陥部が、前記配線取出部に連通している請求項１、２、３又は４記載の天板付家具である。
【００１２】
請求項６に記載の発明は、前記配線案内空間が、外部に開放されたものである請求項１、２、３、４又は５記載の天板付家具である。
【００１３】
請求項７に記載の発明は、前記天板受けの下に、引き出しを配したものであり、前記引き出しが、異なった複数の引き出し方向の何れかを選択的に採り得るようにして前記天板受けに着脱可能に取り付けられたものである請求項１、２、３、４、５又は６記載の天板付家具である。
【００１４】
請求項８に記載の発明は、脚を有した家具本体と、この家具本体の上に配設された天板とを備えてなり、前記家具本体は、前記脚に設けられた配線挿通路の上端を前記天板側に開放させたものであり、前記天板が、その上面よりも下の位置に、前記配線挿通路内に配される配線の延出部分を前記天板の上面側に導くための配線案内空間を備えている天板付家具である。
【発明の効果】
【００１５】
以上説明したように本発明によれば、天板上に配線を導く自由度に優れた天板付家具を提供することができる。
【図面の簡単な説明】
【００１６】
【図１】本発明の一実施形態を示す斜視図。
【図２】同実施形態における正面図。
【図３】図１におけるＸ方向矢視図。
【図４】図２におけるＹ−Ｙ線断面図。
【図５】同実施形態における分解斜視図。
【図６】同実施形態における分解正面図。
【図７】同実施形態における上側から見た分解斜視図。
【図８】同実施形態における下側から見た分解斜視図。
【図９】同実施形態における部分拡大斜視図。
【図１０】同実施形態における引き出しの引き出し方向を異ならせた態様を示す斜視図。
【発明を実施するための形態】
【００１７】
以下、本発明の一実施形態を、図１〜１０を参照して説明する。
【００１８】
この実施形態は、本発明を、天板付家具である電話台Ａに適用したものである。
【００１９】
電話台Ａは、電気製品である電話機（図示せず）が、天板Ｃ上に載置された状態で使用されるものである。この電話台Ａは、例えば、図示しない室内における適宜の隅部に好適に配設され得るものとなっている。すなわち、室内の隅部には互いに略直交する方向を向く一対の内側壁面が設けられており、電話台Ａはそれら一対の内側壁面に近接した状態で床に設置されている。
【００２０】
電話台Ａは、天板受け３を脚２により支持した家具本体Ｂと、この家具本体Ｂの天板受け３上に配設された天板Ｃとを備えている。
【００２１】
まずは、家具本体Ｂについて説明する。
【００２２】
家具本体Ｂは、上下方向に延びる脚２に設けられた配線挿通路ｗの上端を、天板受け３上に開放させたものである。すなわち、天板受け３は、脚２と接続する位置に、配線ｈｓを通過可能な空間を形成した部分を備えている。
【００２３】
詳述すれば、家具本体Ｂは、平面視略矩形状、具体的には平面視略正方形状をなすベース１と、このベース１の対角位置である二箇所の角部ｋ１に立設された一対すなわち二本の脚２と、これら脚２に対角位置である二箇所の角部ｋ３が支持された平面視略矩形状、具体的には平面視略正方形状をなす天板受け３と、この天板受け３の下面側に配設された引き出し５と、この引き出し５を部分的に隠し得る化粧壁４を具備してなる。
【００２４】
ベース１は、平面視正方形状をなす板状のベース本体１１と、ベース本体１１の下面四隅部近傍に設けられた設置体であるアジャスタ１２とを備えている。各アジャスタ１２間には、補強リブ１３が形成されている。ベース本体１１における対角位置である二箇所の角部ｋ１には、脚２を取り付けるための脚取付部ｔ１が形成されている。脚取付部ｔ１には、脚２を止着するためのビスｖ６が挿通し得る図示しないビス挿通孔が設けられているとともに脚２における配線挿通路ｗに連通する配線ｈｓを通過可能な空間を有した形状部分たる図示しない開口が設けられている。この開口は、上下方向及び外方に開放されており、配線ｈｓを挿通し得る大きさに設定されている。
【００２５】
脚２は、ベース１の対角位置である二箇所の角部ｋ１、及び、天板受け３の対角位置である二箇所の角部ｋ３を直接的に支持し得る対をなす棒状のものである。脚２は、上下方向に延びてなるものであり、上下方向に亘って横断面が略同一形状をなす押し出し成形品を主体に構成されている。脚２は、全体として五角柱状をなしている。脚２に設けられた上下方向に延びた溝状をなす配線挿通路ｗは、断面視略Ｔ字状の空間を形成している。配線挿通路ｗは、上下方向及び外方に開放されている。配線挿通路ｗは、脚２の内部に位置する幅広部ｗ１と、この幅広部ｗ１の中央を外部に開放する幅狭部ｗ２とを備えている。電話機等に必要な配線ｈｓは、幅狭部ｗ２を通して幅広部ｗ１内に収容され得るようになっている。
【００２６】
脚２は、配線挿通路ｗを挟むように配された二枚の外向き壁２１と、これらの外向き壁２１の縁から内方に延出する二枚の中間壁２２と、これら中間壁２２の延出端間に形成された内向き壁２３と、外向き壁２１の中間部同士を繋ぐ隔壁２４とを備えている。配線挿通路ｗは、隔壁２４と外向き壁２１とを主体にして形成されている。内向き壁２３と隔壁２４とは外向き壁２１に対して、約４５°の角度をなして配設されている。脚２の上端部には、天板受け３を取り付けるための上側から挿入されるビスｖ１が螺着し得る図示しないナット部が設けられている。
【００２７】
天板受け３は、矩形板状をなす天板Ｃを下から支持し得るものである。天板受け３は、平面視において略正方形状をなしている。天板受け３は、脚２に支持された対角位置である二箇所の角部ｋ３から一方側の二辺、すなわち、手前に延びる二辺３ａを使用端としている。天板受け３は、脚２に支持された対角位置である二箇所の角部ｋ３から他方側の二辺、すなわち、奥に延びる二辺３ｂを反使用端としている。例えば、電話台Ａが室内の隅部に設置された状態では、天板受け３における手前に延びる二辺３ａは、室内における使用者等が存在し得る自由空間側に位置するものであり、天板受け３における奥に延びる二辺３ｂは、室内における内側壁面側に位置し当該内側壁面に近接するものとなる。
【００２８】
なお、天板Ｃと天板受け３との間に設けられた配線案内空間ｓｐは、天板受け３における対角位置である角部ｋ３から奥に延びる二辺３ｂ、及び、手前に延びる二辺３ａに沿うようにして、水平方向に延びた態様で設けられている。
【００２９】
天板受け３は、平面視正方形状をなす板状のもので、対角位置である二箇所の角部ｋ３に脚２の上端部を取り付けるための脚取付部ｔ３が設けられている。脚取付部ｔ３には、脚２を止着するためのビスｖ１を挿通させるためのビス挿通孔ｔ３１が設けられているとともに脚２における配線挿通路ｗに連通する開口ｔ３２が設けられている。すなわち、この天板受け３の脚取付部ｔ３に下側から脚２の上端を当接させた状態で、ビス挿通孔ｔ３１に挿通させたビスｖ１を脚２の上端部に設けられた図示しないナット部に螺着することにより、天板受け３に脚２が取り付けられている。
【００３０】
天板受け３は、配線案内空間ｓｐに配される配線ｈｓの一部を挿入し位置決めするための凹部たるスリットｐ及び角孔ｒを備えている。すなわち、天板受け３には、奥に延びる二辺３ｂに沿った部位にスリットｐが同一方向に複数設けられているとともに奥の角部ｋ４に角孔ｒが形成されている。スリットｐ、及び、角孔ｒは、配線案内空間ｓｐに配された配線ｈｓを没入させることができる寸法に設定されている。配線ｈｓは、スリットｐにより形成された空間や角孔ｒにより形成された空間に、部分的に入り込むことが可能になっており、配線ｈｓをスリットｐや角孔ｒ内に部分的に入り込ませた場合には、当該配線ｈｓのずれ動きが抑制されることになる。このため、配線ｈｓが、配線案内空間ｓｐから外部にはみ出てしまうことが好適に抑制され得るものとなっている。また、配線ｈｓを任意の位置のスリットｐや角孔ｒに入り込ませることによって、配線ｈｓを、天板Ｃにおける任意の周縁部分から安定した姿勢で天板Ｃ上に引き出すことができるようになっている。
【００３１】
天板受け３には、引き出し５を隠すための化粧壁４を取り付けるための化粧壁用ビス挿通孔ａ１と、引き出しユニットＵを取り付けるための引き出しユニット用ビス挿通孔ａ２と、軽量化のための肉盗み孔ａ３が設けられている。
【００３２】
化粧壁４は、天板受け３における奥に延びる二辺３ｂに沿って設けられた化粧壁本体４１と、この化粧壁本体４１の上縁から内方に延出させた天板受け用の取付鍔部４２と、化粧壁本体４１の両端から延出して設けられた脚用の取付鍔部４３とを備えたものである。化粧壁４は、天板受け用の取付鍔部４２に貫通させたビスｖ２を、化粧壁用ビス挿通孔ａ１を通して天板Ｃに設けられた化粧壁用埋設ナットｃ１に螺着することにより、天板受け３の下面に取り付けられている。そして、脚用の取付鍔部４３に内側から外側に向かって横方向に貫通させたビスｖ３を、脚２の上端部に設けられたナット部２５に螺着することにより、化粧壁４を介して天板受け３と脚２とをより強固に結合することができるようにしている。すなわち、化粧壁４は、引き出し５を部分的に覆い隠す機能だけでなく、脚２と天板受け３とを接続するためのブラケットとしての機能も発揮し得るものとなっている。
【００３３】
引き出しユニットＵは、引き出し本体Ｓと、天板受け３に取り付けられた静止フレームＦと、この静止フレームＦに引き出し本体Ｓをスライド可能に支持させるスライド支持機構Ｌとを具備したものである。
【００３４】
引き出し本体Ｓは、底壁ｓ１、対をなす側壁ｓ２、及び、後壁ｓ３を有し、前面が開放された扁平箱形をなしている。そして、引き出し本体Ｓにおける開放された前面を、別体をなす鏡板Ｔにより閉塞することにより引き出し５が構成されるようになっている。換言すれば、引き出し５は、引き出し本体Ｓを有した引き出しユニットＵ、及び、この引き出し本体Ｓに取り付けられて当該引き出し本体Ｓと一体的にスライド動作し得る鏡板Ｔによって構成されている。
【００３５】
側壁ｓ２の上縁には、二重壁部分ｓ３が設けられている。底壁ｓ１は、鏡板Ｔを取り付けるためのビス挿通孔ｓ１１が仮想正方形の角に位置するように四箇所に形成されている。
【００３６】
鏡板Ｔは、Ｌ字状に連続する板状をなす第一、第二の鏡板本体６、７と、これら鏡板本体６、７の下縁から内方に延出させた取付鍔８とを備えている。そして、この電話台Ａは、第一の鏡板本体６が、引き出し本体Ｓの前面を閉塞する態様と、第二の鏡板本体７が、引き出し本体Ｓの前面を閉塞する態様とを選択的に採り得るものとなっている。
【００３７】
すなわち、引き出し本体Ｓの底壁ｓ１に設けられた鏡板用ビス挿通孔ｓ１１は、仮想正方形の角に位置させて四箇所に設けられている。鏡板Ｔの取付鍔８には、底壁ｓ１の鏡板用ビス挿通孔ｓ１１の内、三つに対応する位置にナット８１が固設されている。そのため、引き出し本体Ｓの姿勢に応じて、三箇所の鏡板用ビス挿通孔ｓ１１に上側から挿通させたビスｖ５を、鏡板Ｔにおける三つのナット８１にそれぞれ螺着することにより、引き出し本体Ｓの前面を第一の鏡板本体６で閉塞する態様（図１を参照）、又は、引き出し本体Ｓの前面を、第二の鏡板本体７で閉塞する態様（図１０を参照）をとることができる。
【００３８】
静止フレームＦは、引き出し本体Ｓの両側に位置させて天板受け３の下面に着脱可能に取り付けられている。静止フレームＦは、ビスｖ４を用いて天板受け３に止着される取付壁部ｆ１と、この取付壁部ｆ１の側縁に設けられ引き出し本体Ｓの二重壁部分ｓ３に対面する垂下壁ｆ２とを備えている。なお、静止フレームＦの垂下壁ｆ２と引き出し本体Ｓの二重壁部分ｓ３との間に、スライド支持機構Ｌが介設されている。
【００３９】
スライド支持機構Ｌは、静止フレームＦ側に取り付けられたアウターレースＬ１と、引き出し本体Ｓ側に取り付けられたインナーレースＬ２との間に、転動体Ｌ３を介設した通常の構成のものである。
【００４０】
天板Ｃにおける四つの引き出しユニット用埋設ナットｃ２と天板受け３における四つのビス挿通孔である引き出しユニット用ビス挿通孔ａ２とは、共通の仮想正方形の角に位置させて配されており、静止フレームＦの取付壁部ｆ１には、仮想正方形の隣接する角間の間隔と同一の間隔を空けて二つのビス挿通孔ｆ１１がそれぞれ設けられている。そして、引き出し本体Ｓの姿勢に応じて、静止フレームＦのビス挿通孔ｆ１１に挿通させたビスｖ４を、所定の対応位置ある天板受け３における引き出しユニット用ビス挿通孔ａ２に挿通させて天板Ｃに設けられた引き出しユニット用埋設ナットｃ２に螺着する。このようにすることで、引き出し本体Ｓを、図１に示すように一方の引き出し方向Ｈ１（図１を参照）又は他方の引き出し方向Ｈ２（図１０を参照）に引き出し得るように設定することができる。
【００４１】
引き出し本体Ｓの引き出し方向Ｈ１、Ｈ２が９０°変更された場合には、引き出し本体Ｓに対する鏡板Ｔの取り付け姿勢も９０°変更することになる。つまり、引き出し本体Ｓの引き出し方向Ｈ１、Ｈ２が９０°変更された場合には、天板Ｃや天板受け３に対して、引き出し本体Ｓを含む引き出しユニットＵが９０°回転することになるが、鏡板Ｔについては、引き出しユニットＵの回転に追従して回転されるものではなく、常に同一の姿勢が保持されている。このようにして、引き出し５は、異なった複数の引き出し方向Ｈ１、Ｈ２である二態様の引き出し方向Ｈ１、Ｈ２の何れかを選択的に採り得るようにして天板受け３に着脱可能に取り付けられている。
【００４２】
次に、天板Ｃについて説明する。
【００４３】
天板Ｃは、例えば木製のもので、配線取出部９の形状を除き、平面視において天板受け３と略同一の形状をなしている。すなわち天板Ｃは、平面視正方形状のもので、奥の角部分のみが斜めにカットされている。つまり、天板Ｃには、切欠部によって配線案内空間ｓｐを通過した配線ｈｓが天板Ｃの上面側に導出され得るように構成された配線取出部９が形成されている。この実施形態では、配線取出部９は室内おける内側壁面と干渉することなく配線ｈｓを天板Ｃの上面側に案内可能な形状に形成されている。
【００４４】
天板Ｃは、下面に配線案内空間ｓｐを形成するための凹陥部ｃｎを備えている。この実施形態では、凹陥部ｃｎが配線取出部９に連通させてある。凹陥部ｃｎは、天板Ｃにおける奥に延びる二辺Ｃｂ、及び、手前に延びる二辺Ｃａに沿った部位を下面側から切除して薄肉化することにより、天板Ｃにおける下面の全周縁に形成されている。この凹陥部ｃｎは外部に開放されている。
【００４５】
しかして、この実施形態における電話台Ａには、天板受け３と天板Ｃとの間に、配線挿通路ｗを通して天板受け３上に導出された配線ｈｓを天板Ｃの配線取出部９に導くための配線案内空間ｓｐが形成されている。配線挿通空間ｓｐは、少なくとも、対角位置である二箇所の角部ｋ３を含む天板受け３における隣接する二辺に沿って形成されている。この実施形態では、配線挿通空間ｓｐは、天板受け３と天板Ｃとの間の全周縁に設けられている。すなわち、天板受け３は、脚２に支持された対角位置である二箇所の角部ｋ３から手前に延びる二辺を使用端とする平面視において略正方形状をなしたものであり、二箇所の角部ｋ３から奥に延びる二辺３ｂ、及び、二箇所の角部ｋ３から手前に延びる二辺３ａに沿ってその上側に配線案内空間ｓｐが形成されている。配線案内空間ｓｐは、外部に開放されたものとなっている。
【００４６】
このような構成のものであれば、天板Ｃにおける奥に延びる二辺Ｃｂを、例えば、室内の隅部に沿わせて配置するような態様で好適に使用することができる。この場合、床等から立ち上げた配線ｈｓを脚２の配線挿通路ｗを通して天板受け３上に導くことができ、その配線ｈｓを天板受け３と天板Ｃとの間に形成された配線案内空間ｓｐを通して天板Ｃの配線取出部９に案内することができる。そして、配線取出部９から天板Ｃ上に導出させた配線ｈｓを天板Ｃ上に配した電話機に接続することにより電話台Ａとして使用することができるようになっている。
【００４７】
以上説明したように、本実施形態に係る電話台Ａは、天板受け３を脚２により支持した家具本体Ｂと、この家具本体Ｂの天板受け３上に配設された天板Ｃとを備えている。そして、家具本体Ｂは、脚２に設けられた配線挿通路ｗの上端を天板受け３上に開放させたものであり、天板受け３と天板Ｃとの間に、配線挿通路ｗを通して天板受け３上に導出された配線ｈｓを天板Ｃの配線取出部９に導くための配線案内空間ｓｐが形成されている。このため、天板Ｃ上に配線ｈｓを導く自由度に優れた電話台Ａを提供することができる。つまり、配線挿通路ｗを通して任意に設定され得る天板Ｃの配線取出部９に配線ｈｓを導くことができるものとなるため、天板Ｃ上に配線ｈｓを導く自由度に優れたものとなっている。
【００４８】
家具本体Ｂが、平面視矩形状をなす天板受け３と、この天板受け３の対角位置である角部ｋ３を支持する一対の脚２とを備えている。そして、配線案内空間ｓｐが、少なくとも、対角位置である二箇所の角部ｋ３を含む天板受け３の隣接する二辺に沿って形成されている。このため、例えば、電話機に使用される配線ｈｓを好適な位置から天板Ｃ上に導くことができるものとなる。
【００４９】
天板受け３が、脚２に支持された対角位置である二箇所の角部ｋ３から手前に延びる二辺を使用端とする平面視において略正方形状をなしたものであり、二箇所の角部ｋ３から奥に延びる二辺３ａ及び手前に延びる二辺３ｂに沿って配線案内空間ｓｐが形成されている。このため、配線ｈｓを天板Ｃ上に導くための自由度に優れたものとなっている。
【００５０】
天板受け３が、配線案内空間ｓｐに配される配線ｈｓを位置決めするための配線ｈｓの一部が挿入され得る凹部を備えている。このため、配線ｈｓが、配線案内空間ｓｐから外部にはみ出てしまい、外観を損ねることを好適に抑制し得るものとなる。
【００５１】
天板Ｃが、下面に配線案内空間ｓｐを形成するための凹陥部ｃｎを備えている。そして、凹陥部ｃｎが、配線取出部９に連通している。このため、配線ｈｓを凹陥部ｃｎによって形成された配線案内空間ｓｐを通して、スムーズに配線取出部９に導くことができるものとなっている。
【００５２】
配線案内空間ｓｐが、外部に開放されたものである。このため、配線ｈｓは、使用者の任意の位置から好適に外部に導出させることができるものとなっている。
【００５３】
天板受け３の下に、引き出し５を配したものであり、引き出し５が、異なった複数の引き出し方向Ｈ１、Ｈ２の何れかを選択的に採り得るようにして天板受け３に着脱可能に取り付けられたものである。このため、引き出し５における引き出し方向Ｈ１、Ｈ２を複数設定することができるものとなる。このようなものであれば、例えば、主たる使用者の利き腕に対応させることができるため、使用者に好適な引き出し方向Ｈ１、Ｈ２の引き出し５を有した電話台Ａを提供することができるものとなる。
【００５４】
なお、本発明は、以上に詳述した実施形態に限られるものではない。
【００５５】
配線案内空間は、天板における周縁部の一部分又は全周部分に設けられたものであってもよい。換言すれば、天板付家具は、天板と天板受けとが一体化されたものにおいて、その周縁部の一部分又は全周部分に配線案内空間を設けてなるものであってもよい。より具体的に言えば、天板付家具は、脚を有した家具本体と、この家具本体の上に配設された天板とを備えてなり、前記家具本体は、前記脚に設けられた配線挿通路の上端を前記天板側に開放させたものであり、前記天板が、その上面よりも下の位置に、前記配線挿通路内に配される配線の延出部分を前記天板の上面側に導くための略水平方向に延びる配線案内空間を備えているものとしてもよい。なお、天板の配線案内空間と脚の配線挿通路との間には、配線を連通させるための上下方向に延びた連通路を設けてもよい。また、天板には、配線案内空間を通過した配線を、当該天板の上面に連通しやすくするための配線取出部を設けるようにしてもよい。このようなものであっても、天板上に配線を導く自由度に優れた天板付家具を提供することができるという所期の目的を達成することができるものとなる。
【００５６】
天板付家具は、電話台に限られるものではないことはもちろんのことである。例えば、天板付家具としては、棚や収納家具して機能し得るものであってもよい。なお、棚の一態様としては、コーナーボードを挙げることができる。
【００５７】
脚は、必ずしも二本のものに限られるものではなく、二以上の複数本を備えたものであってもよいし、一本の脚のみにより構成されたものであってもよい。
【００５８】
配線は、どのようなものであってもよい。つまり、配線は、電気製品に対する給電用の配線であってもよいし、通信用の配線であってもよい。
【００５９】
天板の配線取出部は、天板の上に配線を引き出すために使用者が任意に設定し得るものであり、上述した実施形態に示したような天板の角部に限定されるものではない。また、配線取出部の形状や態様についても任意に設定し得るものであり、天板において凹陥状の部位を形成したものであってもよいし、天板に別体の配線案内部材を取り付けることにより構成されたものであってもよい。
【００６０】
その他、各部の具体的構成についても上記実施形態に限られるものではなく、本発明の趣旨を逸脱しない範囲で種々変形が可能である。
【符号の説明】
【００６１】
１…ベース
２…脚
３…天板受け
４…化粧壁
５…引き出し
Ａ…電話台
Ｂ…家具本体
Ｃ…天板
Ｔ…鏡板
Ｕ…引き出しユニット
ｈｓ…配線
ｓｐ…配線案内空間
【図１】
2018042869.tif 000003
【図２】
2018042869.tif 000004
【図３】
2018042869.tif 000005
【図４】
2018042869.tif 000006
【図５】
2018042869.tif 000007
【図６】
2018042869.tif 000008
【図７】
2018042869.tif 000009
【図８】
2018042869.tif 000010
【図９】
2018042869.tif 000011
【図１０】
2018042869.tif 000012